(57)【特許請求の範囲】
【請求項１】
共有無線周波数スペクトル（ＳＲＦＳ）帯域を使用する基地局（ＢＳ）によるワイヤレス通信のための方法であって、
１つまたは複数の狭帯域領域を含む前記ＳＲＦＳの少なくとも一部分に対してチャネルクリアアセスメント（ＣＣＡ）を実行することと、
前記１つまたは複数の狭帯域領域を確保するために、プリアンブルを送信すること、ここにおいて、前記プリアンブルは、前記１つまたは複数の狭帯域領域を含む広帯域領域で送信される広帯域プリアンブルを備える、と、
前記狭帯域領域のうちの少なくとも１つで、前記ＣＣＡを実行した後に、少なくとも１つのマシンタイプコミュニケーション（ＭＴＣ）ユーザ機器（ＵＥ）と通信すること、ここにおいて、前記少なくとも１つのＭＴＣ ＵＥと通信することは、前記少なくとも１つのＭＴＣ ＵＥにダウンリンク送信を送ることを備え、前記ダウンリンク送信は、複数の送信時間間隔（ＴＴＩ）にわたって、バンドリングされた送信として送られる、と、
を備え、
前記ＣＣＡを実行することは、前記複数のＴＴＩの一部分に対応する持続時間を有するウィンドウにわたって前記ＣＣＡを実行することを備える、
方法。
【請求項２】
前記広帯域プリアンブルは、ＭＴＣ ＵＥおよび非ＭＴＣ ＵＥの両方によって検出可能である、請求項１に記載の方法。
【請求項３】
前記広帯域プリアンブルを送信した後に、少なくとも１つの狭帯域プリアンブルを送信することをさらに備える、請求項１に記載の方法。
【請求項４】
前記ＵＥが前記ＢＳと通信するために使用するための前記１つまたは複数の狭帯域領域におけるリソースの割当てを送信することをさらに備える、請求項１に記載の方法。
【請求項５】
前記ＣＣＡを実行することは、複数の前記狭帯域領域を含む広帯域領域上で前記ＣＣＡを実行することを備える、請求項１に記載の方法。
【請求項６】
前記少なくとも１つのＭＴＣ ＵＥと通信することは、前記少なくとも１つのＭＴＣ ＵＥにダウンリンク送信を送ることを備え、
前記方法は、前記ダウンリンク送信を送信する前に、前記ダウンリンク送信について、少なくとも１つの狭帯域領域において、インジケーションを送信することをさらに備える、
請求項１に記載の方法。
【請求項７】
前記インジケーションを送信することは、Ｍシーケンス、Ｃｈｕシーケンス、またはダウンリンクチャネル使用ビーコン信号（Ｄ−ＣＵＢＳ）のうちの少なくとも１つを送信することを備える、請求項６に記載の方法。
【請求項８】
前記少なくとも１つのＭＴＣ ＵＥと通信することは、前記ＵＥからランダムアクセスチャネル（ＲＡＣＨ）送信を受信することを備え、
前記方法は、前記少なくとも１つのＭＴＣ ＵＥに、前記ＲＡＣＨを送信するための送信時間間隔（ＴＴＩ）のインジケーションを提供することをさらに備える、
請求項１に記載の方法。
【請求項９】
前記少なくとも１つのＭＴＣ ＵＥと通信することは、前記少なくとも１つのＭＴＣ ＵＥからチャネル状態インジケータ（ＣＳＩ）フィードバックを受信することを備える、請求項１に記載の方法。
【請求項１０】
前記狭帯域領域のうちの少なくとも１つで、少なくとも１つの発見基準信号（ＤＲＳ）を送信すること
をさらに備える、請求項１に記載の方法。
【請求項１１】
前記少なくとも１つのＭＴＣ ＵＥに、前記狭帯域領域のうちの少なくとも１つで、少なくとも１つの発見基準信号（ＤＲＳ）を受信するように前記少なくとも１つのＭＴＣ ＵＥを構成する構成を送ること
をさらに備える、請求項１０に記載の方法。
【請求項１２】
請求項１乃至１１のうちのいずれか一項に記載の方法を行うように配列された手段を備える、基地局。
【請求項１３】
請求項１乃至１１のうちのいずれか一項に記載の方法を行うように配列されたソフトウェアコードを組み込む、記憶デバイス。
【発明の詳細な説明】
【関連出願への相互参照】
【０００１】
[0001]本願は、２０１５年４月２４日に出願された米国仮特許出願第６２/１５２，７６８号の優先権を主張する、２０１６年３月１４日に出願された米国特許出願第１５／０６８，７８９号の優先権を主張し、これらは、その全体がここでの参照により本明細書に明確に組み込まれている。
【技術分野】
【０００２】
[0002]本開示のある特定の態様は、一般にワイヤレス通信に関し、さらに詳細には、共有無線周波数スペクトル（ＳＲＦＳ：shared radio frequency spectrum）における（１つまたは複数の）発展型または拡張型マシンタイプコミュニケーション（ｅＭＴＣ：evolved or enhanced machine type communication(s)）動作に関する。
【背景技術】
【０００３】
[0003]ワイヤレス通信システムは、音声、データなどの様々なタイプの通信コンテンツを提供するために広く展開されている。これらのシステムは、利用可能なシステムリソース（例えば、帯域幅および送信電力）を共有することによって複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））／ＬＴＥアドバンストシステムおよび直交周波数分割多元接続（ＯＦＤＭＡ）システムを含む。
【０００４】
[0004]一般に、ワイヤレス多元接続通信システムは、複数のワイヤレス端末のための通信を同時にサポートすることができる。各端末は、順方向リンクおよび逆方向リンク上の送信を介して、１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]ワイヤレス通信ネットワークは、多数のワイヤレスデバイスのための通信をサポートすることができる多数の基地局を含み得る。ワイヤレスデバイスは、ユーザ機器（ＵＥ）を含み得る。いくつかのＵＥは、基地局、別の遠隔デバイス、または何らかの他のエンティティと通信し得る、遠隔デバイスを含み得るマシンタイプコミュニケーション（ＭＴＣ）ＵＥであると考えられ得る。マシンタイプコミュニケーション（ＭＴＣ）は、通信の少なくとも一端に少なくとも１つの遠隔デバイスを伴う通信を指し得、ヒューマンインタラクション（human interaction）を必ずしも必要としない１つまたは複数のエンティティを伴うデータ通信の形態を含み得る。ＭＴＣ ＵＥは、例えば、公衆移動通信網（ＰＬＭＮ：Public Land Mobile Networks）を通じて、ＭＴＣサーバおよび／または他のＭＴＣデバイスとのＭＴＣ通信が可能であるＵＥを含み得る。
【０００６】
[0006]共有無線周波数スペクトル（ＳＲＦＳ）は、ライセンス不要である（unlicensed）無線周波数スペクトルを含み、したがって、例えば、ＩＥＥＥ８０２．１１規格の複数のバージョンに従って動作するＷｉ−Ｆｉデバイスを含む、多数および様々なデバイスによって使用可能である。ＳＲＦＳを利用するデバイスは、リッスンビフォアトーク（ＬＢＴ：listen before talk)動作を実行し得る。ＬＢＴは、一般に、周波数帯域上で短い時間期間の間受信し、その周波数帯域上で送信する前に、他のデバイスがその周波数帯域上で送信していないことを決定する動作である。
【発明の概要】
【０００７】
[0007]本開示のある特定の態様は、マシンタイプコミュニケーション（ＭＴＣ）ＵＥおよび発展型マシンタイプコミュニケーション（ｅＭＴＣ）ＵＥなどの、ある特定のデバイスのために共有無線周波数スペクトル（ＳＲＦＳ）を利用するための技法および装置を提供する。
【０００８】
[0008]本開示のある特定の態様は、共有無線周波数スペクトル（ＳＲＦＳ）帯域を使用する基地局（ＢＳ）によるワイヤレス通信のための方法を提供する。この方法は、一般に、１つまたは複数の狭帯域領域を含むＳＲＦＳの少なくとも一部分に対してチャネルクリアアセスメント（ＣＣＡ：channel clear assessment）を実行することと、これら狭帯域領域のうちの少なくとも１つで、ＣＣＡを実行した後に、少なくとも１つのマシンタイプコミュニケーション（ＭＴＣ）ユーザ機器（ＵＥ）と通信することとを含む。
【０００９】
[0009]本開示のある特定の態様は、共有無線周波数スペクトル（ＳＲＦＳ）帯域を使用するマシンタイプコミュニケーション（ＭＴＣ）ユーザ機器（ＵＥ）によるワイヤレス通信のための方法を提供する。この方法は、一般に、基地局（ＢＳ）から、ＭＴＣ ＵＥがＢＳと通信するために使用するための（for the MTC UE to use for communicating with the BS）ＳＲＦＳ帯域の狭帯域領域におけるリソースの割当てを受信することと、この狭帯域領域に対してクリアチャネルアセスメント（ＣＣＡ：clear channel assessment）を実行することなく、この狭帯域領域でＢＳと通信することとを含む。
【００１０】
[0010]本開示のある特定の態様は、共有無線周波数スペクトル（ＳＲＦＳ）帯域を使用するマシンタイプコミュニケーション（ＭＴＣ）ユーザ機器（ＵＥ）によるワイヤレス通信のための方法を提供する。この方法は、一般に、ＳＲＦＳ帯域の狭帯域領域に対してクリアチャネルアセスメント（ＣＣＡ）を実行することと、この狭帯域領域で基地局（ＢＳ）と通信することとを含む。
【００１１】
[0011]本開示のある特定の態様は、共有無線周波数スペクトル（ＳＲＦＳ）帯域を使用するワイヤレス通信のための装置を提供する。この装置は、一般に、１つまたは複数の狭帯域領域を含むＳＲＦＳの少なくとも一部分に対してチャネルクリアアセスメント（ＣＣＡ）を実行することと、これら狭帯域領域のうちの少なくとも１つで、ＣＣＡを実行した後に、少なくとも１つのマシンタイプコミュニケーション（ＭＴＣ）ユーザ機器（ＵＥ）と通信することとを行うように構成された少なくとも１つのプロセッサを含む。この装置は、少なくとも１つのプロセッサに結合されたメモリをさらに含み得る。
【００１２】
[0012]本開示のある特定の態様は、共有無線周波数スペクトル（ＳＲＦＳ）帯域を使用するワイヤレス通信のための装置を提供する。この装置は、一般に、基地局（ＢＳ）から、ＭＴＣ ＵＥがＢＳと通信するために使用するためのＳＲＦＳ帯域の狭帯域領域におけるリソースの割当てを受信することと、この狭帯域領域に対してクリアチャネルアセスメント（ＣＣＡ）を実行することなく、この狭帯域領域でＢＳと通信することとを行うように構成された少なくとも１つのプロセッサを含む。この装置は、少なくとも１つのプロセッサに結合されたメモリをさらに含み得る。
【００１３】
[0013]本開示のある特定の態様は、共有無線周波数スペクトル（ＳＲＦＳ）帯域を使用するワイヤレス通信のための装置を提供する。この装置は、一般に、ＳＲＦＳ帯域の狭帯域領域に対してクリアチャネルアセスメント（ＣＣＡ）を実行することと、この狭帯域領域で基地局（ＢＳ）と通信することとを行うように構成された少なくとも１つのプロセッサを含む。この装置は、少なくとも１つのプロセッサに結合されたメモリをさらに含み得る。
【００１４】
[0014]本開示のある特定の態様は、共有無線周波数スペクトル（ＳＲＦＳ）帯域を使用するワイヤレス通信のための装置を提供する。この装置は、一般に、１つまたは複数の狭帯域領域を含むＳＲＦＳの少なくとも一部分に対してチャネルクリアアセスメント（ＣＣＡ）を実行するための手段と、これら狭帯域領域のうちの少なくとも１つで、ＣＣＡを実行した後に、少なくとも１つのマシンタイプコミュニケーション（ＭＴＣ）ユーザ機器（ＵＥ）と通信するための手段とを含む。
【００１５】
[0015]本開示のある特定の態様は、共有無線周波数スペクトル（ＳＲＦＳ）帯域を使用するワイヤレス通信のための装置を提供する。この装置は、一般に、基地局（ＢＳ）から、ＭＴＣ ＵＥがＢＳと通信するために使用するためのＳＲＦＳ帯域の狭帯域領域におけるリソースの割当てを受信するための手段と、この狭帯域領域に対してクリアチャネルアセスメント（ＣＣＡ）を実行することなく、この狭帯域領域でＢＳと通信するための手段とを含む。
【００１６】
[0016]本開示のある特定の態様は、共有無線周波数スペクトル（ＳＲＦＳ）帯域を使用するワイヤレス通信のための装置を提供する。この装置は、一般に、ＳＲＦＳ帯域の狭帯域領域に対してクリアチャネルアセスメント（ＣＣＡ）を実行するための手段と、この狭帯域領域で基地局（ＢＳ）と通信するための手段とを含む。
【００１７】
[0017]本開示のある特定の態様は、コンピュータ実行可能コードを記憶したコンピュータ可読媒体を提供する。このコンピュータ実行可能コードは、一般に、１つまたは複数の狭帯域領域を含むＳＲＦＳの少なくとも一部分に対してチャネルクリアアセスメント（ＣＣＡ）を実行するためのコードと、これら狭帯域領域のうちの少なくとも１つで、ＣＣＡを実行した後に、少なくとも１つのマシンタイプコミュニケーション（ＭＴＣ）ユーザ機器（ＵＥ）と通信するためのコードとを含む。
【００１８】
[0018]本開示のある特定の態様は、コンピュータ実行可能コードを記憶したコンピュータ可読媒体を提供する。このコンピュータ実行可能コードは、一般に、基地局（ＢＳ）から、ＭＴＣ ＵＥがＢＳと通信するために使用するためのＳＲＦＳ帯域の狭帯域領域におけるリソースの割当てを受信するためのコードと、この狭帯域領域に対してクリアチャネルアセスメント（ＣＣＡ）を実行することなく、この狭帯域領域でＢＳと通信するためのコードとを含む。
【００１９】
[0019]本開示のある特定の態様は、コンピュータ実行可能コードを記憶したコンピュータ可読媒体を提供する。このコンピュータ実行可能コードは、一般に、ＳＲＦＳ帯域の狭帯域領域に対してクリアチャネルアセスメント（ＣＣＡ）を実行するためのコードと、この狭帯域領域で基地局（ＢＳ）と通信するためのコードとを含む。
【図面の簡単な説明】
【００２０】
【図１】[0020]図１は、本開示のある特定の態様による、ワイヤレス通信ネットワークの例を概念的に例示するブロック図である。
【図２】[0021]図２は、本開示のある特定の態様による、ワイヤレス通信ネットワークにおけるユーザ機器（ＵＥ）と通信状態にある基地局の例を概念的に例示するブロック図を示す。
【図３】[0022]図３は、本開示のある特定の態様による、ワイヤレス通信ネットワークにおけるフレーム構造の例を概念的に例示するブロック図である。
【図４】[0023]図４は、通常のサイクリックプレフィクス（normal cyclic prefix）を有する２つの例示的なサブフレームフォーマットを概念的に例示するブロック図である。
【図５】[0024]図５は、本開示のある特定の態様による、ｅＭＴＣのための例示的なサブフレーム構成を例示する。
【図６Ａ】[0025]図６Ａは、本開示のある特定の態様による、ＬＴＥのような広帯域システム内のＭＴＣ共存の例を例示する。
【図６Ｂ】[0025]図６Ｂは、本開示のある特定の態様による、ＬＴＥのような広帯域システム内のＭＴＣ共存の例を例示する。
【図７】[0026]図７は、本開示のある特定の態様による、基地局（ＢＳ）によるワイヤレス通信のための実例的な動作を例示する。
【図８】[0027]図８は、本開示のある特定の態様による、ＭＴＣユーザ機器（ＵＥ）による、ワイヤレス通信のための実例的な動作を例示する。
【図９】[0028]図９は、本開示のある特定の態様による、ＭＴＣユーザ機器（ＵＥ）による、ワイヤレス通信のための実例的な動作を例示する。
【発明の詳細な説明】
【００２１】
[0029]本開示の態様は、共有無線周波数スペクトル（ＳＲＦＳ）を使用する基地局（ＢＳ）とマシンタイプコミュニケーション（ＭＴＣ）ベースのユーザ機器（ＵＥ）の間の通信を可能にするのに役立ち得る技法を提供する。例えば、これら技法は、ＢＳとＭＴＣ ＵＥの間の通信のために狭帯域（例えば、６個の物理リソースブロック（ＰＲＢ））領域を確保する（reserving）ための技法を提供し得る。ＳＲＦＳの狭帯域領域で通信しながら、ＬＢＴの一種である、クリアチャネルアセスメント（ＣＣＡ）を実行するための技法がまた、提供される。
【００２２】
[0030]ここで使用される場合、「狭帯域領域（narrowband region）」は、より大きいシステム帯域幅のうちの１．０８ＭＨｚ（例えば、６個のリソースブロック（ＲＢ））の狭帯域領域、および／または、より広いシステム帯域幅のうちのより小さい狭帯域領域（例えば、１８０ｋＨｚ）を指し得る。ここで使用される場合、ＬＴＥリリース１３（Ｒｅｌ−１３）の狭帯域モノのインターネット（ＮＢ−ＩＯＴ：narrowband internet of things ）は、より広いシステム帯域幅のうちの１８０ｋＨｚの狭帯域領域を指し得る。
【００２３】
[0031]ここで使用される場合、「ＭＴＣ」は、ＮＢ−ＩＯＴなどのモノのインターネットまたは（１つまたは複数の）マシンタイプコミュニケーションを指し得る。ＭＴＣ ＵＥは、一般に、請求システムコンピュータ（billing system computers）に電気使用量データを報告する電気メータなどの、無線ネットワークを介して通信するが、ユーザに通信を直接伝達するためには通常は（regularly）使用されないＵＥを指す。ここで使用される場合、「ＭＴＣ ＵＥ」という用語は、システム帯域幅全体を利用するＭＴＣ ＵＥ（例えば、ＬＴＥリリース１２（Ｒｅｌ−１２）ＭＴＣ ＵＥ）、より大きいシステム帯域幅のうちの１．０８ＭＨｚの狭帯域領域を利用するＭＴＣ ＵＥ（例えば、ＬＴＥリリース１３（Ｒｅｌ−１３）拡張型または発展型ＭＴＣ（ｅＭＴＣ） ＵＥ）、および／またはより広いシステム帯域幅のうちのより小さい狭帯域領域（例えば、１８０ｋＨｚ）を利用するＭＴＣ ＵＥ（例えば、Ｒｅｌ−１３ ＮＢ−ＩＯＴ ＭＴＣ ＵＥ）を指し得る。本開示の複数の態様が、便宜上、より大きいシステム帯域幅のうちの１．０８ＭＨｚ（例えば、６個のＲＢ）の狭帯域領域を利用するＭＴＣ ＵＥの観点から説明される一方で、これらの説明は、本開示を限定するものではない。本開示の態様は、システム帯域幅全体を利用するＭＴＣ ＵＥ、より大きいシステム帯域幅のうちの１．０８ＭＨｚの狭帯域領域を利用するＭＴＣ ＵＥ、およびより広いシステム帯域幅のうちのより小さい狭帯域領域（例えば、１８０ｋＨｚ）を利用するＭＴＣ ＵＥとともに利用され得る。ＭＴＣ ＵＥは、センサ、モニタ、メータ、ロケーションタグ（location tags）、セキュリティデバイス、ロボット／ロボティックデバイス、ドローンなどのデバイスを含む。ＭＴＣ ＵＥのような、ある特定のデバイスのカバレッジを拡張するために、ある特定の送信が送信のバンドル（a bundle of transmissions）として送られるとともに、例えば、同じ情報が複数のサブフレームにわたって送信される、「バンドリング（bundling）」が利用され得る。
【００２４】
[0032]ここで説明される技法は、ＣＤＭＡ、ＴＤＭＡ、ＦＤＭＡ、ＯＦＤＭＡ、ＳＣ−ＦＤＭＡなどの様々なワイヤレス通信ネットワークおよび他のネットワークのために使用され得る。「ネットワーク」および「システム」という用語は、しばしば交換可能に用いられる。ＣＤＭＡネットワークは、ユニバーサル地上無線アクセス（ＵＴＲＡ）、ｃｄｍａ２０００などの無線技術をインプリメントし得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５およびＩＳ−８５６規格をカバーする。ＴＤＭＡネットワークは、モバイル通信のためのグローバルシステム（ＧＳＭ）（登録商標）のような無線技術をインプリメントし得る。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術をインプリメントし得る。ＵＴＲＡおよびＥ−ＵＴＲＡは、ユニバーサルモバイル通信システム（ＵＭＴＳ）の一部である。周波数分割複信（ＦＤＤ）および時分割複信（ＴＤＤ）の両方において、３ＧＰＰロングタームエボリューション（ＬＴＥ）およびＬＴＥ−アドバンスト（ＬＴＥ−Ａ）は、ダウンリンク上ではＯＦＤＭＡを用い、アップリンク上ではＳＣ−ＦＤＭＡを用いる、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書に記載されている。ｃｄｍａ２０００およびＵＭＢは、「第３世代パートナーシッププロジェクト２」（３ＧＰＰ２）という名称の団体からの文書に記載されている。ここで説明される技法は、上述されたワイヤレスネットワークおよび無線技術、ならびに他のワイヤレスネットワークおよび無線技術のために使用され得る。明瞭さのために、これら技法のある特定の態様は、ＬＴＥ／ＬＴＥ−アドバンストについて以下に説明され、ＬＴＥ／ＬＴＥ−アドバンスト用語が、以下の説明の大部分で使用される。ＬＴＥおよびＬＴＥ−Ａは、概して、ＬＴＥと呼ばれる。
【００２５】
[0033]図１は、本開示の態様が実施され得る実例的なワイヤレス通信ネットワーク１００を例示する。例えば、ここで提示される技法は、図１に示されるＵＥおよびＢＳが、狭帯域（例えば、６個のＰＲＢ）ベースの探索空間を使用して、マシンタイプ物理ダウンリンク制御チャネル（ｍＰＤＣＣＨ）上で通信するのに役立つように使用され得る。
【００２６】
[0034]ネットワーク１００は、ＬＴＥネットワークまたは何らかの他のワイヤレスネットワークであり得る。ワイヤレスネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局、ノードＢ、アクセスポイントなどと呼ばれることもある。各ｅＮＢは、特定の地理的エリアに対して通信カバレッジを提供し得る。３ＧＰＰでは、「セル」という用語は、この用語が使用されるコンテキストに応じて、ｅＮＢのカバレッジエリアおよび／またはこのカバレッジエリアにサービス提供するｅＮＢサブシステムを指すことができる。
【００２７】
[0035]ｅＮＢは、マクロセル、ピコセル、フェムトセル、および／または他のタイプのセルに通信カバレッジを提供し得る。マクロセルは、比較的大きい地理的エリア（例えば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（例えば、自宅）をカバーし得、フェムトセルとのアソシエーションを有するＵＥ（例えば、限定加入者グループ（ＣＳＧ）中のＵＥ）による制限付きアクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例では、ｅＮＢ １１０ａは、マクロセル１０２ａのためのマクロｅＮＢであり得、ｅＮＢ １１０ｂは、ピコセル１０２ｂのためのピコｅＮＢであり得、ｅＮＢ １１０ｃは、フェムトセル１０２ｃのためのフェムトｅＮＢであり得る。ｅＮＢは、１つまたは複数の（例えば、３つの）セルをサポートし得る。「ｅＮＢ」、「基地局」および「セル」という用語は、ここで交換可能に用いられ得る。
【００２８】
[0036]ワイヤレスネットワーク１００はまた中継局を含み得る。中継局は、アップストリーム局（例えば、ｅＮＢまたはＵＥ）からデータの送信を受信し、このデータの送信をダウンストリーム局（例えば、ＵＥまたはｅＮＢ）に送ることができるエンティティである。中継局はまた、他のＵＥに対する送信を中継することができるＵＥであり得る。図１に示される例では、中継局１１０ｄは、ｅＮＢ １１０ａとＵＥ １２０ｄの間の通信を容易にするために、マクロｅＮＢ １１０ａおよびＵＥ １２０ｄと通信し得る。中継局は、中継ｅＮＢ、中継基地局、リレーなどと呼ばれることもある。
【００２９】
[0037]ワイヤレスネットワーク１００は、異なるタイプのｅＮＢ、例えば、マクロｅＮＢ、ピコｅＮＢ、フェムトｅＮＢ、中継ｅＮＢなど、を含む異種ネットワークであり得る。これらの異なるタイプのｅＮＢは、ワイヤレスネットワーク１００において、異なる送信電力レベル、異なるカバレッジエリア、および干渉に対する異なる影響を有し得る。例えば、マクロｅＮＢは、高い送信電力レベル（例えば、５〜４０ワット）を有し得、一方、ピコｅＮＢ、フェムトｅＮＢ、および中継ｅＮＢは、より低い送信電力レベル（例えば、０．１〜２ワット）を有し得る。
【００３０】
[0038]ネットワークコントローラ１３０が、ｅＮＢのセットに結合し得、これらのｅＮＢに対して調整（coordination）および制御を提供し得る。ネットワークコントローラ１３０は、バックホールを介してこれらｅＮＢと通信し得る。これらｅＮＢはまた、例えば、ワイヤレスまたはワイヤラインバックホールを介して直接的または間接的に、互いに通信し得る。
【００３１】
[0039]ＵＥ １２０（例えば、１２０ａ、１２０ｂ、１２０ｃ）は、ワイヤレスネットワーク１００全体にわたって分布され得、各ＵＥは、固定またはモバイルであり得る。ＵＥは、アクセス端末、端末、モバイル局、加入者ユニット、局などと呼ばれることもある。ＵＥのいくつかの例は、セルラ電話（例えば、スマートフォン）、携帯情報端末（ＰＤＡ）、ワイヤレスモデム、ハンドヘルドデバイス、タブレット、ラップトップコンピュータ、ネットブック、スマートブック、ウルトラブック、ウェアラブルデバイス（例えば、スマートウォッチ、スマートブレスレット、スマートクロージング、スマート眼鏡、スマートゴーグル、ヘッドアップディスプレイ）、ロボット／ロボティックデバイス、ドローン、エンターテインメントデバイス（例えば、音楽プレーヤ、ゲームデバイス）、カメラ、ナビゲーションデバイス、車両用デバイス、医療デバイス、ヘルスケアデバイスなどを含み得る。図１では、両矢印付きの実線は、ＵＥと、ダウンリンクおよび／またはアップリンク上でＵＥにサービス提供するように指定されたｅＮＢであるサービングｅＮＢとの間の所望の送信を示す。両矢印付きの破線は、ＵＥとｅＮＢとの間の潜在的に干渉する送信を示す。
【００３２】
[0040]図２は、基地局／ｅＮＢ １１０およびＵＥ １２０の設計のブロック図を示し、これらは、図１における基地局／ｅＮＢのうちの１つおよびＵＥのうちの１つであり得る。基地局１１０は、Ｔ個のアンテナ２３４ａ〜２３４ｔを装備し得、ＵＥ １２０は、Ｒ個のアンテナ２５２ａ〜２５２ｒを装備し得、ここで、一般に、Ｔ≧１およびＲ≧１である。
【００３３】
[0041]基地局１１０において、送信プロセッサ２２０は、１つまたは複数のＵＥのためにデータソース２１２からデータを受信し、ＵＥから受信されたＣＱＩに基づいて、各ＵＥのために１つまたは複数の変調およびコーディングスキーム（ＭＣＳ）を選択し、各ＵＥのためのデータを、そのＵＥのために選択された（１つまたは複数の）ＭＣＳに基づいて処理（例えば、符号化および変調）し、全てのＵＥのためのデータシンボルを提供し得る。送信プロセッサ２２０はまた、（例えば、ＳＲＰＩなどについての）システム情報および制御情報（例えば、ＣＱＩ要求、許可、上位レイヤシグナリングなど）を処理し、オーバヘッドシンボルおよび制御シンボルを提供し得る。プロセッサ２２０はまた、同期信号（例えば、ＰＳＳおよびＳＳＳ）および基準信号（例えば、ＣＲＳ）のための基準シンボルを生成し得る。送信（ＴＸ）多入力多出力（ＭＩＭＯ）プロセッサ２３０は、適用可能な場合、データシンボル、制御シンボル、オーバヘッドシンボル、および／または基準シンボルに対して空間処理（例えば、プリコーディング）を実行し得、Ｔ個の変調器（ＭＯＤ）２３２ａ〜２３２ｔにＴ個の出力シンボルストリームを提供し得る。各変調器２３２は、（例えば、ＯＦＤＭなどのために）それぞれの出力シンボルストリームを処理して、出力サンプルストリームを取得し得る。各変調器２３２は、この出力サンプルストリームをさらに処理（例えば、アナログ変換、増幅、フィルタリング、およびアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。
【００３４】
[0042]ＵＥ １２０において、アンテナ２５２ａ〜２５２ｒは、基地局１１０および／または他の基地局からダウンリンク信号を受信し得、受信された信号をそれぞれ復調器（ＤＥＭＯＤ）２５４ａ〜２５４ｒに提供し得る。各復調器２５４は、その受信された信号を調整（例えば、フィルタリング、増幅、ダウンコンバート、およびデジタル化）して、入力サンプルを取得し得る。各復調器２５４は、（例えば、ＯＦＤＭなどのために）これら入力サンプルをさらに処理して、受信されたシンボルを取得し得る。ＭＩＭＯ検出器２５６は、Ｒ個全ての復調器２５４ａ〜２５４ｒから、受信されたシンボルを取得し、適用可能な場合、これら受信されたシンボルに対してＭＩＭＯ検出を実行し、検出されたシンボルを提供し得る。受信プロセッサ２５８は、検出されたシンボルを処理（例えば、復調および復号）し、ＵＥ １２０のための復号されたデータをデータシンク２６０に提供し、復号された制御情報およびシステム情報をコントローラ／プロセッサ２８０に提供し得る。チャネルプロセッサは、ＲＳＲＰ、ＲＳＳＩ、ＲＳＲＱ、ＣＱＩなどを決定し得る。
【００３５】
[0043]アップリンク上では、ＵＥ １２０において、送信プロセッサ２６４は、データソース２６２からのデータ、およびコントローラ／プロセッサ２８０からの（例えば、ＲＳＲＰ、ＲＳＳＩ、ＲＳＲＱ、ＣＱＩなどを備える報告のための）制御情報を受信し、処理し得る。プロセッサ２６４はまた、１つまたは複数の基準信号のための基準シンボルを生成し得る。送信プロセッサ２６４からのシンボルは、適用可能な場合、ＴＸ ＭＩＭＯプロセッサ２６６によってプリコーディングされ、（例えば、ＳＣ−ＦＤＭ、ＯＦＤＭなどのために）変調器２５４ａ〜２５４ｒによってさらに処理され、基地局１１０に送信され得る。基地局１１０において、ＵＥ １２０および他のＵＥからのアップリンク信号は、アンテナ２３４によって受信され、復調器２３２によって処理され、適用可能な場合、ＭＩＭＯ検出器２３６によって検出され、受信プロセッサ２３８によってさらに処理されて、ＵＥ １２０によって送られた、復号されたデータおよび制御情報が取得され得る。プロセッサ２３８は、復号されたデータをデータシンク２３９に提供し、復号された制御情報をコントローラ／プロセッサ２４０に提供し得る。基地局１１０は、通信ユニット２４４を含み、通信ユニット２４４を介してネットワークコントローラ１３０へ通信し得る。ネットワークコントローラ１３０は、通信ユニット２９４、コントローラ／プロセッサ２９０、およびメモリ２９２を含み得る。
【００３６】
[0044]コントローラ／プロセッサ２４０および２８０は、それぞれ基地局１１０およびＵＥ １２０における動作を指示し得る。例えば、基地局１１０におけるコントローラ／プロセッサ２４０、および／または、他のコントローラ、プロセッサおよびモジュールは、例えば、図７に示される動作７００を指示することを実行し得る。同様に、ＵＥ １２０におけるコントローラ／プロセッサ２８０、および／または、他のコントローラ、プロセッサおよびモジュールは、例えば、図８に示される動作８００および図９に示される動作９００を実行または指示し得る。メモリ２４２および２８２は、それぞれ基地局１１０およびＵＥ １２０のためのデータおよびプログラムコードを記憶し得る。スケジューラ２４６は、ダウンリンクおよび／またはアップリンク上でのデータ送信のためにＵＥをスケジューリングし得る。
【００３７】
[0045]図３は、ＬＴＥにおけるＦＤＤのための例示的なフレーム構造３００を示す。ダウンリンクおよびアップリンクの各々についての送信タイムラインは、無線フレームの単位に分割され得る。各無線フレームは、所定の持続時間（例えば、１０ミリ秒（ｍｓ））を有し得、０〜９のインデックスをもつ１０個のサブフレームに分割され得る。各サブフレームは、２つのスロットを含み得る。したがって、各無線フレームは、０〜１９のインデックスをもつ２０個のスロットを含み得る。各スロットは、Ｌ個のシンボル期間、例えば、（図３に示されるような）通常のサイクリックプレフィクスの場合は７個のシンボル期間、または拡張されたサイクリックプレフィクスの場合は６個のシンボル期間を含み得る。各サブフレームにおける２Ｌ個のシンボル期間は、０〜２Ｌ−１のインデックスを割り当てられ得る。
【００３８】
[0046]ＬＴＥでは、ｅＮＢは、ｅＮＢによってサポートされるセルごとに、システム帯域幅の中心におけるダウンリンク上でプライマリ同期信号（ＰＳＳ）およびセカンダリ同期信号（ＳＳＳ）を送信し得る。ＰＳＳおよびＳＳＳは、図３に示されるように、通常のサイクリックプレフィクスを有する各無線フレームのサブフレーム０および５における、それぞれ、シンボル期間６および５において送信され得る。ＰＳＳおよびＳＳＳは、セルの探索および捕捉（cell search and acquisition）のためにＵＥによって使用され得る。ｅＮＢは、ｅＮＢによってサポートされるセルごとに、システム帯域幅にわたってセル固有基準信号（ＣＲＳ）を送信し得る。ＣＲＳは、各サブフレームのある特定のシンボル期間で送信され得、チャネル推定、チャネル品質測定、および／または他の機能を実行するためにＵＥによって使用され得る。ｅＮＢはまた、ある特定の無線フレームのスロット１におけるシンボル期間０〜３において、物理ブロードキャストチャネル（ＰＢＣＨ）を送信し得る。ＰＢＣＨは、何らかのシステム情報を搬送し得る。ｅＮＢは、ある特定のサブフレームにおける物理ダウンリンク共有チャネル（ＰＤＳＣＨ）上でシステム情報ブロック（ＳＩＢ）のような他のシステム情報を送信し得る。ｅＮＢは、サブフレームの最初のＢ個のシンボル期間における物理ダウンリンク制御チャネル（ＰＤＣＣＨ）上で制御情報／データを送信し得、ここで、Ｂは、サブフレームごとに設定可能（configurable）であり得る。ｅＮＢは、各サブフレームの残りのシンボル期間におけるＰＤＳＣＨ上でトラフィックデータおよび／または他のデータを送信し得る。
【００３９】
[0047]図４は、通常のサイクリックプレフィクスを有する２つの例示的なサブフレームフォーマット４１０および４２０を示す。利用可能な時間周波数リソースは、複数のリソースブロックに分割され得る。各リソースブロックは、１つのスロットにおいて１２個のサブキャリアをカバーし得、多数のリソースエレメントを含み得る。各リソースエレメントは、１つのシンボル期間において１つのサブキャリアをカバーし得、１つの変調シンボルを送るために使用され得、それは、実数値または複素数値であり得る。
【００４０】
[0048]サブフレームフォーマット４１０は、２つのアンテナに対して使用され得る。ＣＲＳは、シンボル期間０、４、７および１１において、アンテナ０および１から送信され得る。基準信号は、送信機および受信機によってアプリオリに知られている信号であり、パイロットと呼ばれることもある。ＣＲＳは、例えば、セル識別（ＩＤ）に基づいて生成された、セルに固有の基準信号である。図４では、ラベルＲａを有する所与のリソースエレメントについて、アンテナａから、このリソースエレメント上で変調シンボルが送信され得、他のアンテナからは、何れの変調シンボルもこのリソースエレメント上では送信され得ない。サブフレームフォーマット４２０は、４つのアンテナで使用され得る。ＣＲＳは、シンボル期間０、４、７および１１においてアンテナ０および１から、およびシンボル期間１および８においてアンテナ２および３から送信され得る。サブフレームフォーマット４１０および４２０の両方について、ＣＲＳは、均等に間隔が空けられたサブキャリア上で送信され得、これは、セルＩＤに基づいて決定され得る。ＣＲＳは、それらのセルＩＤに応じて、同じまたは異なるサブキャリア上で送信され得る。サブフレームフォーマット４１０および４２０の両方について、ＣＲＳのために使用されないリソースエレメントは、データ（例えば、トラフィックデータ、制御データ、および／または他のデータ）を送信するために使用され得る。
【００４１】
[0049]ＬＴＥにおけるＰＳＳ、ＳＳＳ、ＣＲＳおよびＰＢＣＨは、「Evolved Universal Terrestrial Radio Access (E-UTRA); Physical Channels and Modulation」と題する、３ＧＰＰ ＴＳ ３６．２１１で説明されており、これは公に入手可能である。
【００４２】
[0050]インタレース構造が、ＬＴＥにおけるＦＤＤについてのダウンリンクおよびアップリンクの各々のために使用され得る。例えば、０〜Ｑ−１のインデックスをもつＱ個のインタレースが定義され得、ここで、Ｑは、４、６、８、１０、または何らかの他の値に等しくなり得る。各インタレースは、Ｑ個のフレームによって間隔を置かれているサブフレームを含み得る。具体的には、インタレースｑは、サブフレームｑ、ｑ＋Ｑ、ｑ＋２Ｑなどを含み得、ここで、ｑ∈｛０，．．．，Ｑ−１｝である。
【００４３】
[0051]ワイヤレスネットワークは、ダウンリンクおよびアップリンク上でのデータ送信のために、ハイブリッド自動再送要求（ＨＡＲＱ）をサポートし得る。ＨＡＲＱの場合、送信機（例えば、ｅＮＢ）は、パケットが受信機（例えば、ＵＥ）によって正しく復号されるか、または何らかの他の終了条件が発生するまで、このパケットの１つまたは複数の送信を送り得る。同期ＨＡＲＱの場合、パケットの全ての送信が、単一のインタレースのサブフレームで送られ得る。非同期ＨＡＲＱの場合、パケットの各送信は、任意のサブフレームで送られ得る。
【００４４】
[0052]１つのＵＥが、複数のｅＮＢのカバレッジ内に位置し得る。これらｅＮＢのうちの１つが、ＵＥにサービス提供するために選択され得る。サービングｅＮＢは、受信信号強度、受信信号品質、経路損失などの様々な基準に基づいて選択され得る。受信信号品質は、信号対雑音および干渉比（ＳＩＮＲ：signal-to-noise-and-interference ratio）、または基準信号受信品質（ＲＳＲＱ）、または何らかの他の測定基準（metrics）によって定量化され得る。ＵＥは、このＵＥが１つまたは複数の干渉するｅＮＢからの高い干渉を観測し得る支配的な干渉シナリオで動作し得る。
【００４５】
マシンタイプコミュニケーションのための実例的な制御チャネル設計
[0053]上述されたように、本開示の態様は、より大きいシステム帯域幅のうちの狭帯域領域を使用し得るマシンタイプコミュニケーション（ＭＴＣ）デバイスに制御チャネルをシグナリングするための技法を提供する。このような狭帯域領域は、例えば、１．０８ＭＨｚ（例えば、６個のＲＢ）の帯域幅を有するＲｅｌ−１３ ｅＭＴＣ狭帯域、または１８０ｋＨｚ（例えば、１個のＲＢ）の帯域幅を有するＲｅｌ−１３ ＮＢ−ＩＯＴ狭帯域であり得る。
【００４６】
[0054]従来のＬＴＥ設計（例えば、レガシー「非ＭＴＣ（non MTC）」デバイス）について）の焦点は、スペクトル効率の改善、ユビキタスカバレッジ、強化されたサービス品質（ＱｏＳ）サポートにあった。現在のＬＴＥシステムのダウンリンク（ＤＬ）およびアップリンク（ＵＬ）のリンクバジェットは、比較的大きいＤＬおよびＵＬリンクバジェットをサポートし得る、最先端のスマートフォンおよびタブレットなどの、ハイエンドデバイスのカバレッジ用に設計されている。
【００４７】
[0055]しかしながら、低コスト、低レートのデバイスも同様にサポートされることが望ましい。例えば、ある特定の規格（例えば、ＬＴＥリリース１２）は、一般に、低コスト設計またはマシンタイプコミュニケーションをターゲットとした、新しいタイプのＵＥ（カテゴリ０ ＵＥと呼ばれる）を導入した。マシンタイプコミュニケーション（ＭＴＣ）では、限られた量の情報のみが交換される必要があり得るので、様々な要件は緩和され得る。例えば、最大帯域幅が（レガシーＵＥに比べて）低減され得る、単一の受信無線周波数（ＲＦ）チェーンが使用され得る、ピークレートが低減され得る（例えば、トランスポートブロックサイズについて最大１００ビット）、送信電力が低減され得る、ランク１送信が使用され得る、および半二重動作（half duplex operation）が実行され得る。
【００４８】
[0056]いくつかのケースでは、半二重動作が実行される場合、ＭＴＣ ＵＥは、送信から受信へ（または受信から送信へ）遷移するために、緩和された切り替え時間を有し得る。例えば、切り替え時間は、通常のＵＥについての２０μｓから、ＭＴＣ ＵＥについての１ｍｓに緩和され得る。リリース１２ＭＴＣ ＵＥは、依然として、通常のＵＥと同じ方法でダウンリンク（ＤＬ）制御チャネルをモニタし得、例えば、最初の数個のシンボルにおける広帯域制御チャネル（例えば、ＰＤＣＣＨ）のみならず、比較的狭帯域を占有するが、サブフレーム長に及ぶ（spanning）狭帯域制御チャネル（例えば、ｅＰＤＣＣＨ）をモニタする。
【００４９】
[0057]ある特定の規格（例えば、ＬＴＥリリース１３）は、ここで拡張型ＭＴＣ（またはｅＭＴＣ）と呼ばれる、様々な追加のＭＴＣ拡張のためのサポートを導入し得る。例えば、ｅＭＴＣは、ＭＴＣ ＵＥに最大１５ｄＢまでのカバレッジ拡張を提供し得、これは、例えば、様々なチャネル（例えば、ＰＤＳＣＨ、ＰＵＳＣＨ、ＰＲＡＣＨ、および／またはＭＰＤＣＣＨ）の送信時間間隔（ＴＴＩ）バンドリングによって達成され得る。
【００５０】
[0058]図５のサブフレーム構造５００において例示されるように、ｅＭＴＣ ＵＥは、より広いシステム帯域幅（例えば、１．４／３／５／１０／１５／２０ＭＨｚ）で動作しながら、狭帯域動作をサポートすることができる。図５に例示される例では、従来のレガシー制御領域５１０は、最初の数個のシンボルのシステム帯域幅に及び得、一方、システム帯域幅の狭帯域領域５３０（データ領域５２０の幅の狭い部分に及ぶ）は、ＭＴＣ物理ダウンリンク制御チャネル（ここでｍＰＤＣＣＨと呼ばれる）のためと、ＭＴＣ物理ダウンリンク共有チャネル（ここでｍＰＤＳＣＨと呼ばれる）のために確保され得る。いくつかのケースでは、狭帯域領域をモニタするＭＴＣ ＵＥは、１．４ＭＨｚまたは６個のリソースブロック（ＲＢ）において動作し得、復調のために復調基準信号（ＤＭ−ＲＳ）を使用し得る。
【００５１】
[0059]しかしながら、上述されたように、ｅＭＴＣ ＵＥは、６個のＲＢよりも大きい帯域幅を有するセルの中で動作することが可能であり得る。このより大きい帯域幅内で、各ｅＭＴＣ ＵＥは、依然として、６個の物理リソースブロック（ＰＲＢ）の制約に従いながら動作（例えば、モニタ／受信／送信）し得る。いくつかのケースでは、異なるｅＭＴＣ ＵＥは、（例えば、各々が６個のＰＲＢブロックに及ぶ）異なる狭帯域領域によってサービス提供され得る。
【００５２】
[0060]リリース１１では、拡張型物理ダウンリンク制御チャネル（ｅＰＤＣＣＨ）が導入された。サブフレームにおける最初の数個のシンボルに及ぶＰＤＣＣＨとは対照的に、ｅＰＤＣＣＨは、周波数分割多重化（ＦＤＭ）ベースであり、サブフレーム全体（のシンボル）に及ぶ。加えて、従来のＰＤＣＣＨ ＣＲＳサポートと比較して、ｅＰＤＣＣＨは、ＤＭ−ＲＳのみをサポートし得る。
【００５３】
[0061]いくつかのケースでは、ｅＰＤＣＣＨは、ＵＥに固有に構成され（UE-specifically configured）得る。例えば、ネットワークにおける各ＵＥは、そのＵＥに向けられたｅＰＤＣＣＨのための異なるセットのリソースをモニタするように構成され得る。加えて、ｅＰＤＣＣＨは、２つの動作モードをサポートする：単一のプレコーダ（precoder）が各ＰＲＢに適用される局所ｅＰＤＣＣＨ、および２つのプレコーダが各ＰＲＢペア内の割り振られたリソースを循環する（cycle through）分散ｅＰＤＣＣＨ。
【００５４】
[0062]ｅＰＤＣＣＨは、拡張リソースエレメントグループ（ｅＲＥＧ）および拡張制御チャネルエレメント（ｅＣＣＥ）に基づいて構築され得る。一般に、ｅＲＥＧは、最大量のＤＭ−ＲＳ（例えば、通常のサイクリックプレフィクスを使用するサブフレームでは２４個のＤＭ−ＲＳ ＲＥ、および拡張サイクリックプレフィクスを使用するサブフレームでは１６個のＤＭ−ＲＳ ＲＥ）を仮定すると、ＤＭ−ＲＳ ＲＥを除外すること、および任意の非ＤＭ−ＲＳ ＲＥ（ＤＭ−ＲＳを搬送しない（do not carry）ＲＥ）を含むことによって定義される。したがって、通常のサイクリックプレフィクスを使用するサブフレームでは、ｅＰＤＣＣＨのために利用可能なｅＲＥＧの数は、１４４個（１２個のサブキャリア×１４個のシンボル−２４個のＤＭ−ＲＳ＝１４４個のＲＥ）であり、拡張サイクリックプレフィクスでは、ｅＰＤＣＣＨのために利用可能なＲＥの数は、１２８個（１２個のサブキャリア＊１２個のシンボル−１６個のＤＭ−ＲＳ＝１２８個のＲＥ）である。
【００５５】
[0063]いくつかのケースでは、ＰＲＢペアは、サブフレームタイプ、サイクリックプレフィクスタイプ、ＰＲＢペアインデックス、サブフレームインデックスなどにかかわらず、１６個のｅＲＥＧに分割される。したがって、通常のサイクリックプレフィクスを使用するサブフレームでは、ｅＲＥＧ当たり９個のＲＥが存在し、拡張サイクリックプレフィクスを使用するサブフレームでは、ｅＲＥＧ当たり８個のＲＥが存在する。いくつかのケースでは、ＲＥへのｅＲＥＧのマッピングは、サイクリック／シーケンシャルおよび周波数第１−時間第２（frequency-first-time-second）様式に従い得、これは、ｅＲＥＧ当たりの利用可能なＲＥの数を均等化することに有益であり得る。加えて、他の信号の存在により、ｅＰＤＣＣＨのための利用可能なＲＥの数は、固定でないことがあり得、ＰＲＢペアにおける異なるｅＲＥＧについて異なることができる。
【００５６】
[0064]上述されたように、ＭＴＣおよび／またはｅＭＴＣ動作は、（例えば、ＬＴＥまたは何らかの他のＲＡＴとの共存において）ワイヤレス通信ネットワークにおいてサポートされ得る。例えば、図６Ａおよび図６Ｂは、どのようにＭＴＣ動作中のＭＴＣ ＵＥが、ＬＴＥのような広帯域システム内で共存し得るかの例を例示する。
【００５７】
[0065]図６Ａの実例的なフレーム構造において例示されるように、ＭＴＣおよび／またはｅＭＴＣ動作に関連付けられたサブフレーム６１０は、ＬＴＥ（または何らかの他のＲＡＴ）に関連付けられた通常のサブフレーム（regular subframes）６２０と時分割多重化（ＴＤＭ）され得る。
【００５８】
[0066]追加または代替として、図６Ｂの実例的なフレーム構造において例示されるように、ＭＴＣ中のＭＴＣ ＵＥによって使用される１つまたは複数の狭帯域６５０は、ＬＴＥによってサポートされるより広い帯域幅６６０内で周波数分割多重化（ＦＤＭ）され得る。各狭帯域領域が、合計で６個のＲＢ以下の帯域幅に及ぶ、複数の狭帯域領域が、ＭＴＣおよび／またはｅＭＴＣ動作のためにサポートされ得る。いくつかのケースでは、ＭＴＣ動作中の各ＭＴＣ ＵＥは、一度に（at a time）１つの狭帯域領域内で（例えば、１．４ＭＨｚまたは６個のＲＢにおいて）動作し得る。しかしながら、ＭＴＣ動作中のＭＴＣ ＵＥは、任意の所与の時間において、より広いシステム帯域幅における他の狭帯域領域に再チューニング（re-tune）し得る。いくつかの例では、複数のＭＴＣ ＵＥは、同じ狭帯域領域によってサービス提供され得る。他の例では、複数のＭＴＣ ＵＥは、（例えば、各狭帯域領域が、６個のＲＢ、または上述されたように、より少ない数のＲＢに及ぶ）異なる狭帯域領域によってサービス提供され得る。なお他の例では、ＭＴＣ ＵＥの異なる組合せが、１つまたは複数の同じ狭帯域領域、および／または、１つまたは複数の異なる狭帯域領域によってサービス提供され得る。
【００５９】
[0067]これらＭＴＣ ＵＥは、様々な異なる動作のために、狭帯域領域内で動作（例えば、モニタ／受信／送信）し得る。例えば、図５Ｂに示されるように、サブフレームの第１の狭帯域領域（例えば、広帯域データの６個以下のＲＢに及ぶ）は、ワイヤレス通信ネットワークにおけるＢＳからのページング送信、またはＰＳＳ、ＳＳＳ、ＰＢＣＨ、ＭＴＣシグナリングのいずれかについて、１つまたは複数のＭＴＣ ＵＥによってモニタされ得る。また、図６Ｂに示されるように、サブフレームの第２の狭帯域領域（例えば、同様に、広帯域データの６個以下のＲＢに及ぶ）は、ＢＳから受信されたシグナリングにおいて予め設定された（previously configured）データまたはＲＡＣＨを送信するために、ＭＴＣ ＵＥによって使用され得る。いくつかのケースでは、第２の狭帯域領域は、第１の狭帯域領域を利用したのと同じＭＴＣ ＵＥによって利用され得る（例えば、ＭＴＣ ＵＥは、第１の狭帯域領域においてモニタした後、送信するために第２の狭帯域領域に再チューニングし得る）。いくつかのケースでは（図示されていないが）、第２の狭帯域領域は、第１の狭帯域領域を利用したＭＴＣ ＵＥとは異なるＭＴＣ ＵＥによって利用され得る。
【００６０】
[0068]ここで説明される例は、６個のＲＢの狭帯域を仮定しているが、当業者であれば、ここで提示される技法はまた、異なるサイズの狭帯域領域（例えば、１個のＲＢなど）に適用され得ることを認識するであろう。
【００６１】
共有無線周波数スペクトルを利用する実例的なマシンタイプコミュニケーション動作
[0069]上述されたように、ＳＲＦＳにおいて動作するデバイスは、ＬＢＴを実行する。ＭＴＣ ＵＥは、ＳＲＦＳ帯域の複数の狭帯域領域上で同時に受信することが可能でないことがあり得る。このようなＭＴＣ ＵＥは、広帯域領域の１つの狭帯域領域から受信しながら、ＳＲＦＳ帯域の広帯域（例えば、２０ＭＨｚの広帯域）領域を占有する送信を検出すべきである。狭帯域領域におけるエネルギー量は、広帯域領域全体にわたって分散される送信の全エネルギーよりも少ない。本開示の態様によると、ＭＴＣ ＵＥが、ＣＣＡの一部として、ＳＲＦＳ帯域の狭帯域領域上でエネルギー検出を実行するための技法が提供される。
【００６２】
[0070]前述されたように、ＭＴＣデバイスは、カバレッジ拡張および他の理由のために、バンドリングされた送信を送信および受信し得る。以前に使用されていたＬＢＴの技法（例えば、ＩＥＥＥ８０２．１１ ＣＣＡ）は、周波数帯域がバンドリングされた送信の全長にわたって別のデバイスによって使用されないであろうと決定するのに十分な長さの時間期間の間、受信することができない。本開示の態様によると、ＭＴＣ動作を実行するＢＳまたはＵＥが、バンドリングされた送信の持続時間に適応（accommodate）するためにより長い時間期間の間、ＣＣＡを実行するための技法が提供される。
【００６３】
[0071]本開示の態様によると、ＭＴＣ ＵＥをサポートするセルのコントローラとして機能するＢＳ（例えば、ｅＮＢ）は、ＳＲＦＳ帯域上でＣＣＡまたは拡張ＣＣＡ（ｅＣＣＡ）を実行し得、その後、ＢＳが１つまたは複数のＵＥに送信リソースの割当てを送信するための時間と、ＵＥが（例えば、割当てごとに、送信することまたは受信することによって）これら割当てに従うための時間との合計に等しい時間期間の間、ＳＲＦＳ帯域を確保するＷｉ−Ｆｉ（例えば、ＩＥＥＥ８０２．１１ａｘ）プリアンブルを送信する。これら割当ては、１つまたは複数のＰＤＣＣＨおよび／またはｅＰＤＣＣＨを介して伝達され得、それはバンドリングされ得る。（例えば、ＢＳによる送信とＵＥによる送信の）バンドリングは、ＢＳがＳＲＦＳ帯域を確保する時間期間を計算するときに、考慮に入れられ得る。これら割当ては、１つまたは複数のＭＴＣ ＵＥが、ＳＲＦＳ帯域の狭帯域領域で、バンドリングされたおよび／またはバンドリングされていない送信を送信または受信するためのものであり得る。ＭＴＣ ＵＥは、ＢＳによって送信されたＷｉ−Ｆｉプリアンブルが、ＭＴＣ ＵＥによる動作の持続時間の間ＳＲＦＳ帯域を確保しているので、ＣＣＡを実行することなく１つまたは複数の割当てに従い得る。
【００６４】
[0072]本開示の態様によると、ＢＳによって送信されたプリアンブルは、広帯域（例えば、２０ＭＨｚ幅の周波数帯域）プリアンブルであり得る。広帯域プリアンブルは、ＭＴＣ ＵＥおよび非ＭＴＣ ＵＥの両方によって検出可能であり得る。広帯域プリアンブルは、広帯域信号を受信することができるデバイス（例えば、非ＭＴＣ ＵＥおよびＢＳ）によって復号可能であり得、ある時間期間の間、ＳＲＦＳ帯域の広帯域領域を確保し得る。
【００６５】
[0073]本開示の態様によると、ＢＳは、広帯域プリアンブルを送信した後に、ＳＲＦＳ帯域の狭帯域領域上で狭帯域プリアンブルを送信し得る。広帯域プリアンブルは、広帯域信号を受信することができるデバイス（例えば、非ＭＴＣ ＵＥおよびＢＳ）によって復号可能であり得、ある時間期間の間、ＳＲＦＳ帯域の広帯域領域を確保する。狭帯域プリアンブルは、広帯域信号を受信することができるデバイスとできないデバイス（例えば、ＭＴＣ ＵＥ)との両方によって復号可能であり得る。狭帯域プリアンブルは、ある時間期間の間、ＳＲＦＳ帯域の狭帯域領域を確保し得る。広帯域プリアンブルまたは狭帯域プリアンブルのいずれかを復号するデバイスは、プリアンブルによって示された時間期間の間、確保された領域（広帯域または狭帯域のいずれかの）上で送信することを控え得る。
【００６６】
[0074]本開示の態様によると、デバイス（例えば、ＢＳ、非ＭＴＣ ＵＥ、またはＭＴＣ ＵＥ）は、ＳＲＦＳ帯域の狭帯域領域でバンドリングされた送信を送信する前に、ＣＣＡを実行し得、バンドリングされた送信の持続時間に基づいて、ＣＣＡについての持続時間を計算し得る。バンドリングされた送信の持続時間は、バンドリングされた送信を送信するために使用される送信時間間隔（ＴＴＩ）の数として計算され得る。ＣＣＡについての計算された持続時間は、バンドリングされた送信の持続時間のほんの一部分だけ（only a fraction of the duration）（例えば、１／２０）であり得る。例えば、ＢＳは、ＳＲＦＳ帯域の狭帯域領域上で８個のＴＴＩ（例えば、ミリ秒）にわたって、バンドリングされたＰＤＣＣＨを送信することを決定し得る。この例では、ＢＳは、ＴＴＩの８／２０として、バンドリングされたＰＤＣＣＨの送信を開始する前に実行すべきＣＣＡの持続時間を計算し得る。
【００６７】
[0075]本開示の態様によると、ＢＳは、ダウンリンク送信を送信する前に、ＳＲＦＳ帯域の狭帯域領域上でダウンリンク送信のインジケーションを送信し得る。すなわち、ＢＳは、狭帯域領域上で送信されるべきダウンリンク送信について、狭帯域領域上でインジケーションを送信し得る。ＢＳは、示されたダウンリンク送信のためにＣＣＡを実行する前に、このインジケーションを送信し得る。このインジケーションは、例えば、Ｍシーケンス（M sequence）、Ｃｈｕシーケンス（Chu sequence）、またはダウンリンクチャネル使用ビーコン信号（D-CUBS：downlink channel usage beacon signal）であり得る。このインジケーションを受信したＵＥは、ＵＥの受信機が、ＢＳによって実行されるべきＣＣＡの計算された持続時間を超える持続時間の間、電源オンおよびアクティブなままであるようにし得る。ＵＥは、ＣＣＡの計算された持続時間の終了において、示されたＤＬ信号を探索し始め得る。ＵＥが、持続時間の終了前に、ＢＳから信号を受信し始めた場合には、ＵＥは、少なくともこのＵＥがこのＤＬ送信を受信するまで、受信機を電源オンおよびアクティブにし続け得る。例えば、ＵＥは、このＵＥのサービングＢＳからの送信が４つのＴＴＩにわたってバンドリングされているカバレッジ拡張レジームにおいて動作し得る。この例では、サービングＢＳは、サービングＢＳがＵＥにＤＬ信号を送信しようとしていることを示すために、ＳＲＦＳ帯域の狭帯域領域でＣｈｕシーケンスを送信し得る。なおこの例では、ＵＥは、Ｃｈｕシーケンスを復号し、ＢＳによって実行されるＣＣＡがＴＴＩの４／２０の持続時間を有するであろうことを計算する。なおこの例では、ＵＥは、ＵＥの受信機をアクティブ化したままにしておくことと、Ｃｈｕシーケンスを受信したＴＴＩの４／２０後に（4/20 of a TTI after）、ＢＳからのＤＬ信号を探索し始めることとを決定する。このインジケーションは、例えば、意図されたＵＥがモニタする狭帯域で送信される狭帯域ＰＣＦＩＣＨであり得る。狭帯域ＰＣＦＩＣＨ信号は、ダウンリンクおよびアップリンクチャネルスプリット（downlink and uplink channel split)、ＰＬＭＮ情報、および／または他の情報をさらに示すことができる。
【００６８】
[0076]本開示の態様によると、ＢＳは、ＢＳにＳＲＦＳ帯域の狭帯域領域上でランダムアクセスチャネル（ＲＡＣＨ）信号を送信するために、ＵＥによって使用されるべき１つまたは複数のＴＴＩのインジケーションを提供し得る。このインジケーションを受信したＵＥは、示されたＴＴＩまで、この狭帯域領域上でＢＳにＲＡＣＨ信号を送信するのを遅延させることを決定し得る。
【００６９】
[0077]本開示の態様によると、ＵＥは、ＳＲＦＳ帯域の狭帯域領域上でＢＳにチャネル状態インジケータ（ＣＳＩ）フィードバックを送信し得る。ＢＳへの非周期的なＣＳＩフィードバックの場合、ＢＳは、ＵＥへ送信される許可中でＣＳＩフィードバックを要求することによって、狭帯域領域に関する非周期的なＣＳＩフィードバックを提供するようにＵＥをトリガし得る。ＢＳは、上記で説明されたように、プリアンブルを送信することによって、狭帯域領域のみまたは狭帯域領域を含む広帯域領域を確保し得る。ＵＥは、ＢＳから受信された許可に従って、ＣＣＡを実行することなく、狭帯域領域で非周期的なＣＳＩフィードバックを送信し得る。周期的なＣＳＩフィードバックの場合、ＢＳは、ＵＥがＳＲＦＳ帯域の狭帯域領域で周期的なＣＳＩフィードバックを送信するための周期的な機会ウィンドウ（periodic opportunity window）を示し得る。ＵＥは、狭帯域領域上でＢＳに周期的なＣＳＩフィードバック報告を送信する前に、ＳＲＦＳ帯域の狭帯域領域でＣＣＡを実行し得る。
【００７０】
[0078]本開示の態様によると、ＭＴＣ ＵＥをサポートするセルのコントローラとして機能するＢＳ（例えば、ｅＮＢ）は、ＳＲＦＳ帯域の狭帯域領域でＭＴＣ ＵＥに送信する前に、ＳＲＦＳ帯域上でＣＣＡまたは拡張ＣＣＡ（ｅＣＣＡ）を実行し得る。
【００７１】
[0079]本開示の態様によると、ＭＴＣ ＵＥは、ＳＲＦＳ帯域の狭帯域領域で送信する前に、ＳＲＦＳ帯域の狭帯域領域でＣＣＡまたはｅＣＣＡを実行し得る。ＳＲＦＳ帯域の狭帯域領域でＣＣＡまたはｅＣＣＡを実行するＵＥは、狭帯域領域のサイズおよび狭帯域領域を含んでいる広帯域領域のサイズに基づいて、ＣＣＡまたはｅＣＣＡにおいて使用されるべき閾値エネルギーレベルを計算し得る。例えば、ＵＥが２０ＭＨｚ（例えば、１１０個のＲＢ）の広帯域領域に含まれる１．０８ＭＨｚ（例えば、６個のＲＢ）の狭帯域領域に対してＣＣＡを実行している場合には、ＵＥは、２０ＭＨｚのチャネルのための閾値エネルギーレベルとは異なるＣＣＡのための閾値エネルギーレベルを計算し得る。この例では、ＵＥは、−６２ｄＢｍの閾値エネルギーレベルが２０ＭＨｚのチャネルのために使用されることを（例えば、表の中をルックアップすることによって）決定し得る。なおこの例では、ＵＥは、下記の式を使用することによって、ＣＣＡのための閾値エネルギーレベルを計算し得る：
ＥＣＣＡ，ＮＢ＝ＥＣＣＡ，ＷＢ−１０ ｌｏｇ１０（ＷＢ／ＮＢ）    （１），
ここで、ＥＣＣＡ，ＮＢは、狭帯域ＣＣＡのための閾値エネルギーレベルであり、
ＥＣＣＡ，ＷＢは、広帯域ＣＣＡのための閾値エネルギーレベルであり、
ＷＢは、広帯域領域の帯域幅であり、
ＮＢは、狭帯域領域の帯域幅である。
なおこの例では、ＵＥは、−７５ｄＢｍ＝−６２ｄＢｍ−１０ ｌｏｇ１０（２０ＭＨｚ／１．０８ＭＨｚ）のＣＣＡのための閾値エネルギーレベルを計算し得る。
【００７２】
[0080]図７は、上記で説明された本開示のある特定の態様による、共有無線周波数スペクトル（ＳＲＦＳ）帯域を使用する基地局（ＢＳ）によるワイヤレス通信のための実例的な動作７００を例示する。動作７００は、図１に示されるｅＮＢ １１０ａのようなＢＳによって実行され得る。
【００７３】
[0081]動作７００は、１つまたは複数の狭帯域領域を含むＳＲＦＳの少なくとも一部分に対してチャネルクリアアセスメント（ＣＣＡ）を実行することによって、７０２において開始する。７０４において、この動作は、ＢＳが、狭帯域領域のうちの少なくとも１つで、ＣＣＡを実行した後に、少なくとも１つのマシンタイプコミュニケーション（ＭＴＣ）ユーザ機器（ＵＥ）と通信することによって継続する。
【００７４】
[0082]図８は、上記で説明された本開示のある特定の態様による、共有無線周波数スペクトル（ＳＲＦＳ）帯域を使用するマシンタイプコミュニケーション（ＭＴＣ）ユーザ機器（ＵＥ）によるワイヤレス通信のための実例的な動作８００を例示する。動作８００は、図１に示されるＵＥ １２０ｄのような、ＭＴＣ ＵＥによって実行され得る。
【００７５】
[0083]動作８００は、ＭＴＣ ＵＥが、基地局（ＢＳ）から、ＭＴＣ ＵＥがＢＳと通信するために使用するためのＳＲＦＳ帯域の狭帯域領域におけるリソースの割当てを受信することによって、８０２において開始する。８０４において、この動作は、ＭＴＣ ＵＥが、この狭帯域領域に対してクリアチャネルアセスメント（ＣＣＡ）を実行することなく、この狭帯域領域でＢＳと通信することによって継続する。
【００７６】
[0084]図９は、上記で説明された本開示のある特定の態様による、共有無線周波数スペクトル（ＳＲＦＳ）帯域を使用するマシンタイプコミュニケーション（ＭＴＣ）ユーザ機器（ＵＥ）によるワイヤレス通信のための実例的な動作９００を例示する。動作９００は、図１に示されるＵＥ １２０ｄのような、ＭＴＣ ＵＥによって実行され得る。
【００７７】
[0085]動作９００は、ＭＴＣ ＵＥが、ＳＲＦＳ帯域の狭帯域領域に対してクリアチャネルアセスメント（ＣＣＡ）を実行することによって、９０２において開始する。９０４において、この動作は、ＭＴＣ ＵＥが、この狭帯域領域で基地局（ＢＳ）と通信することによって継続する。
【００７８】
[0086]現在の（例えば、リリース１２）ＬＴＥワイヤレス通信プロトコルでは、ＢＳ（例えば、図１に示されるｅＮＢ １１０ａ）は、発見基準信号（ＤＲＳ：discovery reference signals）を送信し得る。ＤＲＳは、前述されたＰＳＳ、ＳＳＳ、ＣＲＳ、およびＣＳＩ−ＲＳを含み得る。発見基準信号は、隣接セルにおいてサービス提供されるＵＥが、信号（例えば、ＤＲＳ）の強度を測定することを許可（permit）し得、この測定値は、これらＵＥが、このＢＳによってサービス提供されるセルへの再選択を行うかどうかを決定する際に使用され得る。ＵＥは、ＵＥがＤＲＳを測定した帯域幅を用いて（with）（例えば、ＵＥのサービングＢＳによって）構成（configured）され得る。例えば、ＵＥは、ＵＥが隣接セルへの再選択を行うべきかどうかを決定するために、この隣接セルの帯域幅においてＤＲＳを測定するように構成され得る。ＵＥに対して構成された帯域幅は、１．４ＭＨｚ、３ＭＨｚ、５ＭＨｚ、１０ＭＨｚ、１５ＭＨｚ、または２０ＭＨｚであり得る。
【００７９】
[0087]本開示の態様によると、ＢＳは、狭帯域ＤＲＳを構成し、より広いシステム帯域幅のうちの１つまたは複数の狭帯域領域で狭帯域ＤＲＳを送信し得る。狭帯域ＤＲＳは、通常（非狭帯域（non-narrowband））のＤＲＳと同じ周波数帯域または異なる周波数帯域で送信され得る。狭帯域ＤＲＳは、通常のＤＲＳとは異なる周期性および／またはサブフレームオフセットを使用し得る。例えば、図３を参照すると、ＢＳは、フレームごとのサブフレーム０および５の、それぞれ、シンボル６および５において、通常のＰＳＳおよび通常のＳＳＳを送信し得る。なおこの例では、ＢＳは、フレームごとのサブフレーム２および７の、それぞれ、シンボル９および８において、狭帯域ＰＳＳおよび狭帯域ＳＳＳを構成および送信し得る。なおこの例では、図５を参照すると、通常のＰＳＳおよび通常のＳＳＳは、より広いシステム帯域幅の中心の６個のＲＢにおいて送信され得、一方、狭帯域ＰＳＳおよび狭帯域ＳＳＳは、狭帯域領域５３０において送信され得る。
【００８０】
[0088]本開示の態様によると、ＵＥ（例えば、ＭＴＣ ＵＥ）は、より広いシステム帯域幅のうちの狭帯域領域において狭帯域ＤＲＳを探索するおよび／または測定するように（例えば、ＵＥのサービングＢＳによって）構成され得る。この狭帯域領域は、例えば、１．０８ＭＨｚ（例えば、６個のＲＢ）の帯域幅を有するＲｅｌ−１３ ｅＭＴＣ狭帯域、または１８０ｋＨｚ（例えば、１個のＲＢ）の帯域幅を有するＲｅｌ−１３ ＮＢ−ＩＯＴ狭帯域であり得る。ＵＥは、狭帯域ＤＲＳを測定し、サービングＢＳに測定値を報告し得る。例えば、図５を参照すると、ＭＴＣ ＵＥは、狭帯域領域５３０における狭帯域ＣＲＳを測定し、ＵＥのサービングＢＳに測定値を報告するように構成され得る。
【００８１】
[0089]ここで使用される場合、項目のリスト「のうちの少なくとも１つ」という表現は、単一のメンバ（members）を含む、それらの項目の任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００８２】
[0090]上記で説明された方法の様々な動作は、対応する機能を実行することが可能な任意の適切な手段によって実行され得る。これら手段は、それに限定されるものではないが、回路、特定用途向け集積回路（ＡＳＩＣ）、またはプロセッサを含む、様々なハードウェアおよび／またはソフトウェアの（１つまたは複数の）コンポーネントおよび／または（１つまたは複数の）モジュールを含み得る。ソフトウェアは、ソフトウェア、ファームウェア、ミドルウェア、コード、マイクロコード、ハードウェア記述言語、機械言語、またはその他の方法で呼ばれるかにかかわらず、命令、データ、コードまたはこれらの任意の組合せを意味するように広く解釈されるべきである。一般に、図面に例示された動作がある場合、これらの動作は、任意の適切な対応するミーンズプラスファンクション（means-plus-function）コンポーネントによって実行され得る。
【００８３】
[0091]例えば、実行するための手段は、図２に例示されたユーザ端末１２０の受信プロセッサ２５８および／またはコントローラ／プロセッサ２８０、および／または、図２に例示された基地局１１０の送信プロセッサ２２０および／またはコントローラ／プロセッサ２４０などの、１つまたは複数のコントローラまたはプロセッサを含み得る。受信するための手段および／または通信するための手段は、例えば、図２に例示されたユーザ端末１２０の受信プロセッサ２５８および／または（１つまたは複数の）アンテナ２５２、図２に例示されたｅＮＢ １１０の送信プロセッサ２２０および／または（１つまたは複数の）アンテナ２３４などを備え得る。送信するための手段および／または送るための手段は、例えば、図２に例示されたｅＮＢの送信プロセッサ２２０および／または（１つまたは複数の）アンテナ２３４を備え得る。決定するための手段は、例えば、図２に例示されたユーザ端末１２０のコントローラ／プロセッサ２８０およびメモリ２８２、および／または、図２に例示された基地局１１０のコントローラプロセッサ２４０およびメモリ２４２を備え得る。
【００８４】
[0092]当業者であれば、情報および信号は、様々な異なる技術および技法のうちの任意のものを用いて表され得ることを理解するであろう。例えば、上記の説明全体を通して参照され得るデータ、命令、コマンド、情報、信号、ビット、シンボル、およびチップは、電圧、電流、電磁波、磁場または磁性粒子、光場または光粒子、あるいはこれらの組合せによって表され得る。
【００８５】
[0093]当業者であれば、ここでの開示に関連して説明された様々な例示的な論理ブロック、モジュール、回路、およびアルゴリズムステップは、ハードウェア、ソフトウェア、またはこれらの組合せとしてインプリメントされ得ることをさらに理解するであろう。ハードウェアおよびソフトウェアのこの互換性を明確に例示するために、様々な例示的なコンポーネント、ブロック、モジュール、回路、およびステップが、概してそれらの機能の観点から上記に説明された。このような機能が、ハードウェアとしてインプリメントされるか、あるいはソフトウェアとしてインプリメントされるかは、特定のアプリケーションおよびシステム全体に課せられる設計制約に依存する。当業者は、特定のアプリケーションごとに多様な方法において、説明された機能をインプリメントし得るが、このようなインプリメンテーションの決定は、本開示の範囲から逸脱を引き起こしていると解釈されるべきでない。
【００８６】
[0094]ここでの開示に関連して説明された、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいはここで説明された機能を実行するように設計されたこれらの任意の組合せを用いてインプリメントまたは実行され得る。汎用プロセッサは、マイクロプロセッサであり得るが、代替として、このプロセッサは、任意の従来のプロセッサ、コントローラ、マイクロコントローラ、またはステートマシン（state machine）であり得る。プロセッサはまた、コンピューティングデバイスの組合せ、例えば、ＤＳＰとマイクロプロセッサの組合せ、複数のマイクロプロセッサ、ＤＳＰコアと連携した１つまたは複数のマイクロプロセッサ、あるいはその他任意のこのような構成としてインプリメントされ得る。
【００８７】
[0095]ここでの開示に関連して説明されたアルゴリズムまたは方法のステップは、直接ハードウェアにおいて、プロセッサによって実行されるソフトウェアモジュールにおいて、またはこれらの組合せにおいて、具現化（embodied）され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ（phase change memory）、レジスタ、ハードディスク、リムーバブルディスク、ＣＤ−ＲＯＭ、または当該技術分野において周知であるその他任意の形態の記憶媒体内に存在し得る。例示的な記憶媒体は、プロセッサが記憶媒体から情報を読み取り、また記憶媒体に情報を書き込むことができるように、プロセッサに結合される。代替として、記憶媒体は、プロセッサと一体化され得る。プロセッサおよび記憶媒体は、ＡＳＩＣ内に存在し得る。ＡＳＩＣは、ユーザ端末内に存在し得る。代替として、プロセッサおよび記憶媒体は、ユーザ端末内の個別のコンポーネントとして存在し得る。
【００８８】
[0096]１つまたは複数の例示的な設計では、説明された機能は、ハードウェア、ソフトウェア、またはこれらの組合せでインプリメントされ得る。ソフトウェアでインプリメントされる場合、これら機能は、コンピュータ可読媒体上で、１つまたは複数の命令またはコードとして送信または記憶され得る。コンピュータ可読媒体は、１つの場所から別の場所へのコンピュータプログラムの転送を容易にする任意の媒体を含む通信媒体とコンピュータ記憶媒体との両方を含む。記憶媒体は、汎用または専用コンピュータによってアクセスされることができる任意の利用可能な媒体であり得る。限定ではなく例として、このようなコンピュータ可読媒体は、ＲＡＭ、ＲＯＭ、ＥＥＰＲＯＭ、ＣＤ／ＤＶＤまたは他の光ディスク記憶装置、磁気ディスク記憶装置またはその他の磁気記憶デバイス、あるいは、データ構造または命令の形式で所望のプログラムコード手段を記憶または搬送するために使用されることができ、かつ、汎用または専用コンピュータ、または汎用または専用プロセッサによってアクセスされることができるその他任意の媒体を備えることができる。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他の遠隔ソースから送信される場合には、この同軸ケーブル、光ファイバーケーブル、ツイストペア、ＤＳＬ、または赤外線、無線、およびマイクロ波などのワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれるべきである。
【００８９】
[0097]本開示の先の説明は、いかなる当業者であっても、本開示の製造または使用を可能にするように提供される。本開示への様々な修正は、当業者には容易に明らかとなり、ここで定義した一般原理は、本開示の範囲または趣旨から逸脱することなく、他の変形形態に適用され得る。したがって、本開示は、ここで説明された例および設計に限定されるようには意図されず、ここで開示された原理および新規の特徴に合致する最も広い範囲を与えられることとなる。
以下に本願の出願当初の特許請求の範囲に記載された発明を付記する。
［Ｃ１］
共有無線周波数スペクトル（ＳＲＦＳ）帯域を使用する基地局（ＢＳ）によるワイヤレス通信のための方法であって、
１つまたは複数の狭帯域領域を含む前記ＳＲＦＳの少なくとも一部分に対してチャネルクリアアセスメント（ＣＣＡ）を実行することと、
前記狭帯域領域のうちの少なくとも１つで、前記ＣＣＡを実行した後に、少なくとも１つのマシンタイプコミュニケーション（ＭＴＣ）ユーザ機器（ＵＥ）と通信することと  を備える方法。
［Ｃ２］
前記少なくとも１つまたは複数の狭帯域領域を確保するために、プリアンブルを送信することをさらに備える、Ｃ１に記載の方法。
［Ｃ３］
前記プリアンブルは、複数の前記狭帯域領域を含む広帯域領域で送信される広帯域プリアンブルを備える、Ｃ２に記載の方法。
［Ｃ４］
前記広帯域プリアンブルは、ＭＴＣ ＵＥおよび非ＭＴＣ ＵＥの両方によって検出可能である、Ｃ３に記載の方法。
［Ｃ５］
前記広帯域プリアンブルを送信した後に、少なくとも１つの狭帯域プリアンブルを送信することをさらに備える、Ｃ３に記載の方法。
［Ｃ６］
前記ＵＥが前記ＢＳと通信するために使用するための前記１つまたは複数の狭帯域領域におけるリソースの割当てを送信することをさらに備える、Ｃ２に記載の方法。
［Ｃ７］
前記ＣＣＡを実行することは、複数の前記狭帯域領域を含む広帯域領域上で前記ＣＣＡを実行することを備える、Ｃ１に記載の方法。
［Ｃ８］
前記少なくとも１つのＭＴＣ ＵＥと通信することは、前記少なくとも１つのＭＴＣ ＵＥにダウンリンク送信を送ることを備え、前記ダウンリンク送信は、複数の送信時間間隔（ＴＴＩ）にわたって、バンドリングされた送信として送られ、
前記ＣＣＡを実行することは、前記複数のＴＴＩのほんの一部分だけに対応する持続時間を有するウィンドウにわたって前記ＣＣＡを実行することを備える、
Ｃ１に記載の方法。
［Ｃ９］
前記少なくとも１つのＭＴＣ ＵＥと通信することは、前記少なくとも１つのＭＴＣ ＵＥにダウンリンク送信を送ることを備え、
前記方法は、前記ダウンリンク送信を送信する前に、前記ダウンリンク送信について、少なくとも１つの狭帯域領域において、インジケーションを送信することをさらに備える、
Ｃ１に記載の方法。
［Ｃ１０］
前記インジケーションを送信することは、Ｍシーケンス、Ｃｈｕシーケンス、またはダウンリンクチャネル使用ビーコン信号（Ｄ−ＣＵＢＳ）のうちの少なくとも１つを送信することを備える、Ｃ９に記載の方法。
［Ｃ１１］
前記少なくとも１つのＭＴＣ ＵＥと通信することは、前記ＵＥからランダムアクセスチャネル（ＲＡＣＨ）送信を受信することを備え、
前記方法は、前記少なくとも１つのＭＴＣ ＵＥに、前記ＲＡＣＨを送信するための送信時間間隔（ＴＴＩ）のインジケーションを提供することをさらに備える、
Ｃ１に記載の方法。
［Ｃ１２］
前記少なくとも１つのＭＴＣ ＵＥと通信することは、前記少なくとも１つのＭＴＣ ＵＥからチャネル状態インジケータ（ＣＳＩ）フィードバックを受信することを備える、Ｃ１に記載の方法。
［Ｃ１３］
前記狭帯域領域のうちの少なくとも１つで、少なくとも１つの発見基準信号（ＤＲＳ）を送信すること
をさらに備える、Ｃ１に記載の方法。
［Ｃ１４］
前記少なくとも１つのＭＴＣ ＵＥに、前記狭帯域領域のうちの少なくとも１つで、少なくとも１つの発見基準信号（ＤＲＳ）を受信するように前記少なくとも１つのＭＴＣ ＵＥを構成する構成を送ること
をさらに備える、Ｃ１３に記載の方法。
［Ｃ１５］
共有無線周波数スペクトル（ＳＲＦＳ）帯域を使用するマシンタイプコミュニケーション（ＭＴＣ）ユーザ機器（ＵＥ）によるワイヤレス通信のための方法であって、
基地局（ＢＳ）から、前記ＭＴＣ ＵＥが前記ＢＳと通信するために使用するための前記ＳＲＦＳ帯域の狭帯域領域におけるリソースの割当てを受信することと、
前記狭帯域領域に対してクリアチャネルアセスメント（ＣＣＡ）を実行することなく、前記狭帯域領域で前記ＢＳと通信することと
を備える方法。
［Ｃ１６］
前記ＢＳと通信することは、前記ＢＳにアップリンク送信を送信することを備える、  Ｃ１５に記載の方法。
［Ｃ１７］
前記ＢＳと通信することは、前記ＢＳからダウンリンク送信を受信することを備え、  前記方法は、前記ダウンリンク送信を受信する前に、前記ダウンリンク送信について、前記狭帯域領域において、インジケーションを受信することをさらに備える、
Ｃ１５に記載の方法。
［Ｃ１８］
前記インジケーションは、Ｍシーケンス、Ｃｈｕシーケンス、またはダウンリンクチャネル使用ビーコン信号（Ｄ−ＣＵＢＳ）のうちの少なくとも１つを備える、Ｃ１７に記載の方法。
［Ｃ１９］
前記ＢＳと通信することは、前記ＢＳにチャネル状態インジケータ（ＣＳＩ）フィードバックを送信することを備える、
Ｃ１５に記載の方法。
［Ｃ２０］
前記ＳＲＦＳ帯域の前記狭帯域領域または別の狭帯域領域のうちの少なくとも１つで、少なくとも１つの発見基準信号（ＤＲＳ）を受信すること
をさらに備える、Ｃ１５に記載の方法。
［Ｃ２１］
前記ＢＳから構成を受信すること、ここにおいて、前記構成は、前記ＳＲＦＳ帯域の前記狭帯域領域または別の狭帯域領域のうちの少なくとも１つで、少なくとも１つの発見基準信号（ＤＲＳ）を受信するように前記ＭＴＣ ＵＥを構成する、
をさらに備える、Ｃ２０に記載の方法。
［Ｃ２２］
共有無線周波数スペクトル（ＳＲＦＳ）帯域を使用するマシンタイプコミュニケーション（ＭＴＣ）ユーザ機器（ＵＥ）によるワイヤレス通信のための方法であって、
前記ＳＲＦＳ帯域の狭帯域領域に対してクリアチャネルアセスメント（ＣＣＡ）を実行することと、
前記狭帯域領域で基地局（ＢＳ）と通信することと
を備える方法。
［Ｃ２３］
前記狭帯域領域の帯域幅および前記ＳＲＦＳ帯域の帯域幅に基づいて、前記ＣＣＡのための閾値エネルギーレベルを決定すること、ここにおいて、前記ＣＣＡを実行することは、前記閾値エネルギーレベルを使用して前記ＣＣＡを実行することを備える、
をさらに備える、Ｃ２２に記載の方法。
［Ｃ２４］
前記ＭＴＣ ＵＥが前記ＢＳと通信するために使用するための前記狭帯域領域におけるリソースの割当てを受信することをさらに備える、Ｃ２２に記載の方法。
［Ｃ２５］
前記ＢＳと通信することは、前記ＢＳにアップリンク送信を送信することを備え、前記アップリンク送信は、複数の送信時間間隔（ＴＴＩ）にわたって、バンドリングされた送信として送られ、
前記ＣＣＡを実行することは、前記複数のＴＴＩのほんの一部分だけに対応する持続時間を有するウィンドウにわたって前記ＣＣＡを実行することを備える、
Ｃ２２に記載の方法。
［Ｃ２６］
前記ＢＳと通信することは、前記ＢＳからダウンリンク送信を受信することを備え、  前記方法は、前記ダウンリンク送信を受信する前に、前記ダウンリンク送信について、前記狭帯域領域において、インジケーションを受信することをさらに備える、
Ｃ２２に記載の方法。
［Ｃ２７］
前記インジケーションは、Ｍシーケンス、Ｃｈｕシーケンス、またはダウンリンクチャネル使用ビーコン信号（Ｄ−ＣＵＢＳ）のうちの少なくとも１つを備える、Ｃ２６に記載の方法。
［Ｃ２８］
前記ＢＳと通信することは、ランダムアクセスチャネル（ＲＡＣＨ）送信を送信することを備え、
前記方法は、前記ＢＳから、前記ＲＡＣＨを送信するための送信時間間隔（ＴＴＩ）のインジケーションを取得することをさらに備える、
Ｃ２２に記載の方法。
［Ｃ２９］
前記ＳＲＦＳ帯域の前記狭帯域領域または別の狭帯域領域のうちの少なくとも１つで、少なくとも１つの発見基準信号（ＤＲＳ）を受信すること
をさらに備える、Ｃ２２に記載の方法。
［Ｃ３０］
前記ＢＳから構成を受信すること、ここにおいて、前記構成は、前記ＳＲＦＳ帯域の前記狭帯域領域または別の狭帯域領域のうちの少なくとも１つで、少なくとも１つの発見基準信号（ＤＲＳ）を受信するように前記ＭＴＣ ＵＥを構成する、
をさらに備える、Ｃ２９に記載の方法。
【図１】
0006776266.tif 000002
【図２】
0006776266.tif 000003
【図３】
0006776266.tif 000004
【図４】
0006776266.tif 000005
【図５】
0006776266.tif 000006
【図６Ａ】
0006776266.tif 000007
【図６Ｂ】
0006776266.tif 000008
【図７】
0006776266.tif 000009
【図８】
0006776266.tif 000010
【図９】
0006776266.tif 000011